(57)【要約】  【課題】  美容効果、医療効果または健康増進効果の高い美容、医療または健康増進用具を提供すること。  【解決手段】  密閉された袋体１内にイージーシール部分２を挟んで二つの収容部３，４が設けられ、一方の収容部３内に液体７を収容し、他方の収容部４内に前記液体７を含浸させるためのスキン用シート８と前記液体７によって劣化する美容成分または薬用成分または健康増進用成分とを収容してある。  【選択図】  図３
2006034951.tif 000002
【特許請求の範囲】
【請求項１】
密閉された袋体内にイージーシール部分を挟んで二つの収容部が設けられ、一方の収容部内に液体を収容し、他方の収容部内に前記液体を含浸させるためのスキン用シートと前記液体によって劣化する美容成分または薬用成分または健康増進用成分とを収容してあることを特徴とする美容、医療または健康増進用具。
【請求項２】
前記スキン用シートに、機能性気体を内部に封入した水溶性材料を保持させてある請求項１に記載の美容、医療または健康増進用具。
【請求項３】
密閉された袋体内にイージーシール部分を挟んで二つの収容部が設けられ、一方の収容部内に液体を、他方の収容部内に前記液体を含浸させるためのスキン用シートをそれぞれ収容してあり、前記スキン用シートに、機能性気体を内部に封入した水溶性材料を保持させてあることを特徴とする美容、医療または健康増進用具。
【請求項４】
機能性気体を封入した水溶性材料をスキン用シートに保持させてなることを特徴とする美容、医療または健康増進用具。
【請求項５】
前記スキン用シートが多層構造をしており、その内部に前記水溶性材料が保持されている請求項２〜４のいずれかに記載の美容、医療または健康増進用具。
【発明の詳細な説明】
【技術分野】
【０００１】
この発明は、美容、医療または健康増進用具に関する。
【背景技術】
【０００２】
従来より、スキン用シートに美容液、薬剤または健康増進剤を含ませた状態とし、これを顔に密着させて用いるように構成された美容、医療または健康増進用具がある。前記スキン用シートと美容液、薬剤または健康増進剤とは、個々に市販されたり、あるいは一つの袋体内に収容されて市販されたりしている。
【発明の開示】
【発明が解決しようとする課題】
【０００３】
そして、本発明者は、鋭意研究の結果、高い美容効果、医療効果または健康増進効果をもつ美容、医療または健康増進用具の開発に成功した。
【０００４】
この発明は上述の事柄に留意してなされたもので、その目的は、美容効果、医療効果または健康増進効果の高い美容、医療または健康増進用具を提供することである。
【課題を解決するための手段】
【０００５】
上記目的を達成するために、第１発明の美容、医療または健康増進用具は、密閉された袋体内にイージーシール部分を挟んで二つの収容部が設けられ、一方の収容部内に液体を収容し、他方の収容部内に前記液体を含浸させるためのスキン用シートと前記液体によって劣化する美容成分または薬用成分または健康増進用成分とを収容してあることを特徴としている（請求項１）。
【０００６】
そして、第１発明において、前記スキン用シートに、機能性気体（不活性ガス等）を内部に封入した水溶性材料を保持させてあってもよい（請求項２）。
【０００７】
また、第２発明の美容、医療または健康増進用具は、密閉された袋体内にイージーシール部分を挟んで二つの収容部が設けられ、一方の収容部内に液体を、他方の収容部内に前記液体を含浸させるためのスキン用シートをそれぞれ収容してあり、前記スキン用シートに、機能性気体を内部に封入した水溶性材料を保持させてあることを特徴としている（請求項３）。
【０００８】
また、第３発明の美容、医療または健康増進用具は、機能性気体を封入した水溶性材料をスキン用シートに保持させてなることを特徴としている（請求項４）。
【０００９】
上記第１〜第３発明において、前記スキン用シートが多層構造をしており、その内部に前記水溶性材料が保持されていてもよい（請求項５）。
【発明の効果】
【００１０】
請求項１〜３に係る発明では、前記他方の収容部に衝撃を加え、イージーシール部分を剥離させ、この剥離部分から前記一方の収容部内の液体を他方の収容部へと送り、スキン用シートに含ませるだけで、袋体内から取り出したスキン用シートをすぐに使用することができ、使用性の面で非常に優れた美容、医療または健康増進用具が得られる。
【００１１】
ここで、スキン用シートに美容液、薬剤または健康増進剤を含ませた状態で収容する従来の美容、医療または健康増進用具では、スキン用シートの材料等によっては、美容液、薬剤または健康増進剤に含有させる必要のある防腐剤の種類や量を多くして所定の基準を満たさなければならないという問題があった。また、前記美容、医療または健康増進用具に、美容液、薬剤または健康増進剤中の含有成分等によって経時的に劣化あるいは変化する物質・材料や、使用直前までドライ状態にしておくことが望ましい物質・材料を用いることが適していなかった。従って、美容、医療または健康増進用具に使用可能な物質・材料が限られ、このことが美容、医療または健康増進用具の美容効果、医療効果または健康増進効果の向上を妨げる原因となっていた。
【００１２】
これに対して、請求項１〜３に係る発明では、使用直前までスキン用シートと美容液等の液体とを隔離しておくことができるので、スキン用シートのための防腐剤の種類や量を減らすあるいは防腐剤を不要とすることができ、また、使用可能な物質・材料を上記従来の美容、医療または健康増進用具よりも増やすことができ、上記のことから美容効果、医療効果または健康増進効果の向上を図ることもより容易となる美容、医療または健康増進用具が得られる。
【００１３】
また、請求項１〜３に係る発明では、前記一方の収容部内に収容する液体の量を、他方の収容部内に収容するスキン用シートに含浸させるのに適した量とすることで、確実に適量の前記液体をスキン用シートに含ませることができる美容、医療または健康増進用具が得られる。従って、前記美容、医療または健康増進用具では、前記液体の量が多すぎてスキン用シートから液体が垂れ、それによって使用者などの身体、衣服や床などが汚れたり、前記液体が無駄になったり、あるいは反対に前記液体の量が少なすぎて十分な美容効果、医療効果または健康増進効果が得られないということを確実になくすことができる。
【００１４】
そして、請求項１に係る発明では、第一収容部に収容された前記液体に接触すると劣化（酸化劣化、液中劣化）する美容成分または薬用成分または健康増進用成分を使用直前まで液体から隔離しておくことができるので、前記美容成分の美容効果または薬用成分の薬用効果または健康増進用成分の健康増進効果を最大限に発揮させることができる美容、医療または健康増進用具が得られる。
【００１５】
また、請求項２〜５に係る発明では、スキン用シートの使用時に、水溶性材料が液体等に触れて溶解するに伴って水溶性材料の内部に封入されていた機能性気体が解放され、この機能性気体が顔の表面に適宜の刺激を加え血行を促進する美容、医療または健康増進用具が得られる。
【発明を実施するための最良の形態】
【００１６】
図１〜図３は、この発明の一実施の形態を示す。まず、図１および図２は、この発明の一実施の形態に係る美容、医療または健康増進用具（以下、用具という）の構成を概略的に示す斜視図および説明図である。図１および図２において、１は内部が密閉された袋体であり、この袋体１は、２枚のほぼ矩形状のフィルム体の周縁部どうしを容易に剥がれることがないように例えば熱融着等によって強力に接着しており、各フィルム体は、透明または不透明の樹脂やアルミ箔等より形成されている。
【００１７】
そして、袋体１内にイージーシール部分２を挟んで第一収容部３および第二収容部４が設けられている。詳しくは、袋体１内のほぼ中央を縦断し、袋体１の内部をほぼ二分割するようにシール部分５が設けられており、このシール部分５の中央部に前記イージーシール部分２が形成されている。また、このイージーシール部分２に連続し、第二収容部３内の液体７（後述する）をイージーシール部分２へとガイドするためのガイドシール部分６が設けられている。
【００１８】
前記シール部分２，５，６は、例えば、前記２枚のフィルム体の間に、フィルム体とは異なる材料よりなるシール用部材を介して熱融着等により接着することによって形成されている。そして、前記イージーシール部分２は、他のシール部分５，６よりも幅が小さくなっており、適宜の力で容易に剥がすことができるように構成されている。すなわち、イージーシール部分２を形成するためのシール用部材と前記２枚のフィルム体との接着力は、前記２枚のフィルム体の周縁部どうしの接着力およびシール部分５，６を形成するためのシール用部材と前記２枚のフィルム体との接着力よりも小さくなっている。
【００１９】
そして、前記第一収容部３内には、海洋深層水、マリーンコラーゲン（例えば魚の鱗より採取されるもの）、適宜の有効材料（美容成分、薬用成分または健康増進用成分等の有効成分を含有した材料）および青色色素を含む液体７と、窒素ガス（不活性ガス）とが収容されており、前記液体７は青色色素により青色を呈する。また、前記第二収容部４内には、前記液体７を含浸させるためのスキン用シート８と、前記液体７に接触すると経時的に劣化（酸化劣化、液中劣化）する劣化成分（図示していない）を含む劣化材料と、窒素ガス（不活性ガス）とが収容されている。すなわち、二つの収容部３，４内には、空気を窒素ガス（不活性ガス）に置換して封入してある。なお、前記スキン用シート８は、マスク状に形成されており、適宜に折り畳まれた状態で第二収容部４内に収容されている。また、前記第二収容部４内に収容される劣化材料としては、例えばビタミンＣや美容保湿剤等の美容成分の他、液体７に接触すると劣化する薬用成分、健康増進用成分などの有効成分を含む有効材料が挙げられる。
【００２０】
なお、前記第一収容部３の液体７に含まれる有効材料、第二収容部４に収容される劣化材料（有効材料）としては、ビタミンＣや美容保湿剤の他、ビタミンＥ、メントール、ハッカ、インドメタシン、女性ホルモン等が挙げられる。
【００２１】
ここで、イージーシール部分２が剥がれていない状態（保管状態）にある用具では、第一収容部３と第二収容部４とは完全に隔離されており、第一収容部３内の液体７やガスが第二収容部４内に進入したり、第二収容部４内のガスが第一収容部３内に進入したりすることはない。
【００２２】
なお、図１において、９は袋体１の周縁部における第二収容部４付近に設けられた開封用の切り込み部分である。
【００２３】
次に、上記の構成からなる用具を使用する際の手順について、図３を参照しながら説明する。まず、保管状態にある用具の第一収容部３を例えば手で挟み込むようにして握る、叩くなどすることにより、第一収容部３に衝撃を加える。すると、この衝撃によって前記イージーシール部分２が剥がれ、剥離部分が形成される。そして、この剥離部分から第一収容部３内の液体７を第二収容部４へと送る。このとき、液体７をガイドする前記ガイドシール部分６を設けてあるので、第一収容部３内の液体７を前記剥離部分から第二収容部４内へとスムーズにかつ偏りなく流入させることができる。
【００２４】
上記のようにして第二収容部４内に流入した液体７を第二収容部４内に収容されていたビタミンＣ等の劣化成分とともにスキン用シート８に含ませれば、スキン用シート８の使用が可能な状態となる。その後、例えば、切り込み部分９を手で引き裂いて袋体１を破り、スキン用シート８を取り出して用いればよい。
【００２５】
ここで、前記スキン用シート８は、図３に示すように、２枚のシート体（この実施の形態では通気性に優れた不織布シート）１０，１１を備えた多層構造をしており、その内部（間）に水溶性材料１２が保持されている。詳しくは、前記水溶性材料１２は、例えば多糖類等の糖類よりなり、ほぼ粒状またはカプセル状に形成され、大気圧よりも高圧の機能性気体（例えば、窒素、ヘリウム、アルゴン等の不活性ガスや炭酸ガス）をその内部空間に封入した状態となっている。なお、前記水溶性材料１２は、接着剤による接着や、熱融着、超音波等によって２枚のシート体１０，１１のうちの顔等の肌に接触しない方のシート体１０の内側（図３では下側）に保持されている。この実施の形態では、前記シート体１０の内側（図３では下側）に樹脂ラミネート層１０ａが設けられ、さらにこの樹脂ラミネート層１０ａの内側（図３では下側）にのり等の接着剤よりなる接着ラミネート層１０ｂが設けられ、この接着ラミネート１０ｂに前記水溶性材料１２が接着されている。なお、前記接着ラミネート層１０ｂを設けず、熱圧着や超音波により水溶性材料１２を樹脂ラミネート層１０ａに接着してもよい。
【００２６】
そして、スキン用シート８が液体７を含む状態になると、液体７によって水溶性材料１２が溶解し、水溶性材料１２に形成された亀裂やひび等から内部の高圧の機能性気体が外部に吹き出し、その状態が例えばパチパチという微音を伴って適宜の時間（例えば１分３０秒くらい）継続する。従って、スキン用シート８を顔等の肌に密着させて使用すれば、使用開始後しばらくの間、前記機能性気体による適宜の刺激が顔等の肌に加わることになり、その感触がリラクゼーション効果をもたらす他、前記微音によるリラクゼーション効果も得られ、さらには前記液体７に含まれる有効材料等（例えば血行促進剤）による適宜な効果も得られる。
【００２７】
また、用具の製造ラインにおいてスキン用シート８を袋体１内に収容する際には、通常、スキン用シート８に僅かながらも空気が残存している。従って、この実施の形態では、スキン用シート８内に残存する空気中の酸素や雑菌等が液体７を劣化させることを防止するために、保管状態のときには液体７をスキン用シート８から隔離し、酸素および雑菌等を含まない窒素ガスとともに第一収容部３内に収容し、使用状態のときに液体７をスキン用シート８に含ませるようにしている。さらに、ビタミンＣ等の劣化成分は、前記液体７に接触するとその時点から劣化が始まるので、この実施の形態では、保管状態のときには前記劣化成分を液体７から隔離し、スキン用シート８とともにドライ状態で第二収容部４内に収容し、使用状態のときに液体７に溶解させるようにしている。そのため、上記用具が保管状態にあるときには、液体７が酸素および雑菌等から完全に隔離されるとともに、劣化成分が液体７から完全に隔離され、長期間良好な状態で保存されることになる。
【００２８】
さらに、前記用具では、シート体１０の内側に設けた樹脂ラミネート層１０ａにより保湿性が高まっており、シート体１１に含ませた液体７中の有効材料およびスキン用シート８内に保持させた有効材料（劣化材料）を長時間良好に顔等の肌に接触させておくことができる。従って、それだけ用具の美容効果、医療効果または健康増進効果が向上することとなる。
【００２９】
なお、この発明は上記の実施の形態に限られず、種々に変形して実施することができる。具体的には、上記実施の形態では、液体７が海をイメージしたもの（海を連想させるもの）となっていたが、このような構成に限られず、例えば、前記液体７が山をイメージしたもの（山を連想させるもの）となるように構成してもよい。具体的には、前記液体７が、例えば、山で採取した水（河川の水、湧き水等）、植物オイル、前記有効成分および緑色色素を含み、緑色色素によって緑色を呈するように構成されていてもよい。
【００３０】
また、前記スキン用シート８は、マスク状に限られず、例えば、図４（Ａ）および（Ｂ）に示すように、多角形（矩形等）またはほぼ円形もしくは楕円形のシート状（縦横または直径が３〜４ｃｍ程度）をした部分シート等に形成されていてもよく、スキン用シート８で覆う部位も、顔に限られず、例えば、手足、背中等の皮膚であってもよい。すなわち、前記液体７中の有効材料およびスキン用シート８内に保持させた有効材料の種類と、マスク状や部分シート等のスキン用シート８で覆う部位とを適宜に選択することによって、前記用具は、美肌、床擦れの予防・治療、筋肉疲労の回復、肩凝り・腰痛・関節痛の改善等の効果を発揮することになる。
【００３１】
加えて、上記実施の形態では、第一収容部３（液体７）および第二収容部４のいずれにも有効成分を含む材料（有効材料）が収容されているが、有効材料がいずれか一方のみに収容されていてもよい。
【００３２】
さらに、前記水溶性材料１２は、糖類に限られず、ゼラチン等によりなっていてもよい。加えて、上記実施の形態では、水溶性材料１２の内部空間に機能性気体を封入しているが、前記内部空間に前記劣化成分（あるいは有効成分）を収容してあってもよい。具体的には、前記劣化成分の表面にゼラチンなどの水溶性材料１２をコーティングし、粒状またはカプセル状またはゲル状に形成してあってもよい。
【００３３】
また、袋体１の第一収容部３および第二収容部４内に封入するガスとして、窒素ガスに代えてヘリウム、アルゴン等の他の不活性ガスなど、液体７と反応しないガスを用いてもよい。加えて、液体７が空気（酸素）により劣化しないのであれば、第一収容部３内に不活性ガスではなく空気を収容してもよく、同様に、スキン用シート８および劣化成分が空気（酸素）により劣化しないのであれば、第二収容部４内に不活性ガスではなく空気を収容してもよい。
【００３４】
また、第二収容部４内に収容するスキン用シート８の数は、一つに限られず、二つ以上でもよい。
【００３５】
また、上記実施の形態では、前記スキン用シート８を構成する２枚のシート体１０，１１を通気性に優れた不織布シートによって形成しているが、前記不織布に代えて、紙（和紙等）、綿・ガーゼ・脱脂綿、樹脂フィルムなどでシート体１１，１２を形成してもよい。さらに、少なくとも肌に接触する方のシート体１１が通気性に優れていればよく、肌に接触しない側のシート体１０の通気性は優れていなくともよい。そのため、前記シート体１０を、例えば、肌に接触させておくための液剤等が体温で蒸発することを防ぐ効果のあるシートを用いて形成してあってもよい。
【００３６】
また、前記スキン用シート８を構成する２枚のシート体１０，１１の間に、水溶性材料１２に加えて、あるいは水溶性材料１２に代えて前記美容液、薬剤または健康増進剤等の有効成分を含んだ有効材料を保持させてもよい。この場合、前記有効材料は、カプセル状の部材の内部に収容されていてもよいし、粒状体あるいはゲル状体を呈するように構成されていてもよい。前記有効材料としては、例えば、泥状パックに用いられるパウダー状の材料や、遠赤外線、マイナスイオンを発生するセラミック等が挙げられる。
【００３７】
また、前記水溶性材料１２または前記有効材料を、シルク印刷等適宜の印刷方式により、スキン用シート８を構成するシート体１０，１１に印刷してもよい。このような方法は、特に泥状パック用のパウダー状の材料等を前記有効材料として用いる場合に適している。そして、上記方法を用いれば、水溶性材料１２または有効材料を、２枚のシート体１０，１１間に保持せず、例えば、２枚のシート体１０，１１の外面側（肌に接触する側）に一体的に設けることもできる。なお、シート体１０，１１による水溶性材料１２の保持方法と有効材料の保持方法とは、同じでも異なっていてもよい。
【００３８】
また、上記実施の形態では、２枚のシート体１０，１１の一方のシート体１０に樹脂ラミネート層１０ａと接着ラミネート層１０ｂを設けて、この接着ラミネート層１０ｂに前記水溶性材料１２を接着していたが、このような構成に代えて、スキン用シート８を以下のように形成してもよい。すなわち、前記２枚のシート体１０，１１のうち、顔等の肌に接触しない方のシート体１０を、融着繊維（例えばポリエチレン）を絡ませた繊維（例えばポリエチレンテレフタノール）の不織布で形成すると共に、顔等の肌に接触する方のシート体１１を例えばコットン等の不織布で形成する。そして、これらのシート体１０，１１の間に前記水溶性材料１２を収容しておく。その後、図５に示すように、マスク状のスキン用シート８の全ての縁８ａがとじてスキン用シート８が袋状となるように、２枚のシート体１０，１１を熱板等で加熱し、融着（接着）する。同時に、スキン用シート８が全体にわたって適宜の間隔で接着された状態となるように、ピンポイント的に複数箇所８ｂを融着する。これらの接着により、スキン用シート８内の水溶性材料１２等が外部にこぼれたり漏れたりするのを確実に防いで保持することができる。そして、上記のようにスキン用シート８を形成するように構成すれば、スキン用シート８の製造が低コストで容易となる。なお、２枚のシート体１０，１１の接着は、上述した熱融着によって行うものに限られず、例えば、タック（のり）、超音波等によって行ってもよい。
【００３９】
また、前記スキン用シート８において、その使用者の額および眉間から鼻先にかけてのゾーン（いわゆるＴ−ｚｏｎｅ）に接触する部分等に、前記水溶性材料１２または有効材料として、例えば、クレイ、シリカ、酸化チタン等の脱脂のための材料（以下、脱脂材料という）を保持させてあってもよい。前記脱脂材料の保持方法としては、粒子状の脱脂材料を接着ラミネート１０ｂに接着させることによって行ってもよいし、上述した印刷あるいは転写等により行ってもよい。
【００４０】
さらに、上記実施の形態では、２枚のシート体１０，１１を用いてスキン用シート８を構成していたが、このような構成に限られず、肌に接触しない方のシート体１０を設けなくてもよい。この場合、前記水溶性材料１２はシート体１１に適宜の方法（例えば熱圧着、超音波による接着や接着剤を用いた接着等）によって保持させればよい。
【００４１】
また、袋体１をなす２枚のフィルム体に、光の透過を遮断する性質を備えたアルミニウム（アルミ箔）などの材料（部材）よりなる層を設けることにより、太陽光線の照射等によって袋体１内に収容した液体７等の劣化の防止やバリアー性保持を図ってもよい。
【００４２】
また、図６に示すように、前記第一収容部３と第二収容部４とを仕切る前記シール部分５に剥離ガイド部１３を設け、シール部分５において剥離ガイド部１３と第二収容部４とで挟まれる部分を前記イージーシール部分２としてもよい。すなわち、前記剥離ガイド部１３は、シール部分５の一部（この例では中央部）を剥離させた状態に保つことで形成され、連通部１４を介して第一収容部３内の空間と連通するように構成されている。そして、上記剥離ガイド部１３を設けることにより、第一収容部３に衝撃を加え、イージーシール部分２を剥がして剥離部分を形成する際に、その剥離部分の形成が容易となる。
【００４３】
ここで、前記剥離ガイド部１３の形状は、図７に示すような星型の一部を呈する形状に限られず、帯状（図７（Ａ）参照）でもよいし、三角形状（図７（Ｂ）参照）でもよいし、丸形状（図７（Ｃ）参照）でもよいし、矩形状（図７（Ｄ）参照）でもよいし、先端が尖った帯状（図７（Ｅ）参照）などでもよい。
【００４４】
また、用具を構成する前記液体７とスキン用シート８とを別々の袋や容器などに収容してもよい。この場合、用具の使用時には、例えば、スキン用シート８を収容した袋内に適量の液体７を注入し、液体７をスキン用シート８に含ませた状態とすればよい。また、このとき、前記スキン用シート８のみを一つの袋に収容してもよいが、その袋に、スキン用シート８とともに前記劣化成分を収容してもよく、また、前記袋に窒素ガスなどの不活性ガスを空気に置換して封入するように構成してもよい。
【００４５】
そして、スキン用シート８を袋体１に収容せず前記用具として単独で用いる場合には、このスキン用シート８に含ませる液体は、前記液体７に限られず、湯あるいは水や、適宜の有効成分を含んだ液体であってもよい。
【図面の簡単な説明】
【００４６】
【図１】この発明の一実施例に係る用具の構成を概略的に示す斜視図である。
【図２】前記用具の構成を概略的に示す説明図である。
【図３】前記用具を使用する際の手順を概略的に示す説明図である。
【図４】（Ａ）および（Ｂ）は、上記実施例におけるスキン用シートの変形例の構成を概略的に示す説明図である。
【図５】上記実施例におけるスキン用シートの他の変形例の構成を概略的に示す正面図である。
【図６】前記用具の変形例の構成を概略的に示す説明図である。
【図７】（Ａ）〜（Ｅ）は、上記用具における剥離ガイド部の変形例の構成を概略的に示す説明図である。
【符号の説明】
【００４７】
１  袋体
２  イージーシール部分
３  第一収容部
４  第二収容部
７  液体
８  スキン用シート
【図１】
2006034951.tif 000003
【図２】
2006034951.tif 000004
【図３】
2006034951.tif 000005
【図４】
2006034951.tif 000006
【図５】
2006034951.tif 000007
【図６】
2006034951.tif 000008
【図７】
2006034951.tif 000009